(57)【要約】【課題】  この発明は、手術等を行うことなく、顔面の所定の場所にテープを所定期間（３〜１年）、繰り返し（主に、就寝中）貼ることにより鼻をすっきり高くすることを目的とする。【解決手段】  この発明の鼻整形用ストレッチ・テープは、逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向に引っ張る。該テープの巾５〜２０mm、前記逆Ｕ字、もしくは逆Ｖ字形状の１辺の長さが１５〜３５mmであり、前記前記逆Ｕ字、もしくは逆Ｖ字形状の開き角度が０〜１２０度である。あるいは、この発明の小鼻整形用ストレッチ・テープは、 略三角形状をなし、該三角形状の中心を小鼻上部に貼り付けることにより、小鼻の軟骨を刺激し、小鼻を小さくする。該テープの巾５〜４０mm、前記三角形状の底辺の長さが３５〜５０mmであり、前記三角形状の頂点の開き角度が０〜１２０度である。【選択図】図１                                                                  
2004216134.tif 000002
【特許請求の範囲】
【請求項１】
逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向に引っ張ることを特徴とする鼻整形用ストレッチ・テープ。
【請求項２】
前記テープの巾が５〜２０mm、前記逆Ｕ字、もしくは逆Ｖ字形状の１辺の長さが１５〜３５mmであり、前記前記逆Ｕ字、もしくは逆Ｖ字形状の開き角度が０〜１２０度であることを特徴とする前記請求項１記載の鼻整形用ストレッチ・テープ。
【請求項３】
略三角形状をなし、該三角形状の中心を小鼻上部に貼り付けることにより、小鼻の軟骨を刺激し、小鼻を小さくすることを特徴とする小鼻整形用ストレッチ・テープ。
【請求項４】
前記テープの巾が５〜４０mm、前記三角形状の底辺の長さが３５〜５０mmであり、前記三角形状の頂点の開き角度が０〜１２０度であることを特徴とする前記請求項３記載の小鼻整形用ストレッチ・テープ。
【発明の詳細な説明】
【技術分野】
【０００１】
この発明は、顔面の整形を目的に顔面に貼り付けられて用いられるストレッチ・テープに関し、特に鼻の整形に適したストレッチ・テープに関する。
【背景技術】
【０００２】
日本人は鼻が低く、従来鼻を高くするため整形手術がおこなわれているが、これには手間とリスク及び費用がかかる欠点がある。
また、特表２００２−５１８３０６号公報、特開２００２−２３９０１７号公報、特開２００２−１２５９９２号公報、等には、鼻孔を広げるためのテープが開示されており、特開２００２−３４５８７０号公報には鼻筋矯正具が開示されている。
【０００３】
しかし、これらのテープ等は、鼻をすっきり高くするための効果が十分でないという欠点がある。
【特許文献１】特表２００２−５１８３０６号公報
【特許文献２】特開２００２−２３９０１７号公報
【特許文献３】特開２００２−１２５９９２号公報
【発明の開示】
【発明が解決しようとする課題】
【０００４】
この発明は、手術等を行うことなく、顔面の所定の場所にテープを所定期間（３ケ月〜１年）、繰り返し（主に、就寝中）貼ることにより、鼻をすっきり高くすることを目的とする。
【課題を解決するための手段】
【０００５】
この発明の鼻整形用ストレッチ・テープは、逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向に引っ張ることを特徴とする。
【０００６】
さらに、前記テープの巾５〜２０mm、前記逆Ｕ字、もしくは逆Ｖ字形状の１辺の長さが１５〜３５mmであり、前記前記逆Ｕ字、もしくは逆Ｖ字形状の開き角度が０〜１２０度であることを特徴とする。
【０００７】
あるいは、この発明の小鼻整形用ストレッチ・テープは、 略三角形状をなし、該三角形状の中心を小鼻上部に貼り付けることにより、小鼻の軟骨を刺激し、小鼻を小さくすることを特徴とする。
【０００８】
さらに、前記テープの巾５〜４０mm、前記三角形状の底辺の長さが３５〜５０mmであり、前記三角形状の頂点の開き角度が０〜１２０度であることを特徴とする。
【発明の効果】
【０００９】
この発明のストレッチ・テープは、コストと肉体への負担の大きい手術等をすることなく、安価なストレッチ・テープを長期間、根気よく使用することにより、
鼻の整形を簡便に行える顕著な効果を奏する。
【発明を実施するための最良の形態】
【００１０】
以下、この発明の実施例を図面を用いて説明する。
（実施例１）
図１には、この発明の鼻に貼り付けて、長期間（１年以上）主として夜間寝るときに連続使用することにより、鼻の軟骨を刺激し、鼻筋がすっきりと高く整形されるためのストレッチ・テープの使用状態を示す。そのストレッチ・テープの形状のいくつかの例を図２に示す。
【００１１】
図２に示す如く、逆Ｕ字形状、もしくは逆Ｖ字形状をなし、該逆Ｕ字形状、もしくは逆Ｖ字形状の頂部を目と目の間の鼻上部に、該逆Ｕ字形状、もしくは逆Ｖ字形状の両脚部を鼻中腹部の両側部にして貼り付けることにより、鼻中腹部を頭部方向に引っ張る作用をなす。
【００１２】
また、このとき、鼻腔も広がるので、該テープはイビキ防止やスポーツの呼吸補助の目的にも用いることができる。該テープは、巾５〜２０mm、１辺の長さが１５〜３５mm位が大きさとして適当であり、また前記前記逆Ｕ字、もしくは逆Ｖ字形状の開き角度が０〜１２０度であることが好ましい。ただし、顔面に張る時は逆Ｕ字、もしくは逆Ｖ字形状の両脚が鼻の側面に沿って張られることになるので、その開き角度は正面から見て３０〜４５度になる。
【００１３】
なお、従来の特表２００２−５１８３０６号公報に記載されるような鼻の上に貼り付ける鼻テープは、鼻を上部（顔の前面方向、すなわち顔面に対して垂直方向）に持ち上げようとするものであるが、この発明の前記鼻テープは鼻を頭部方向に持ち上げようとするものであって、その引っ張る方向が９０度異なる。
【００１４】
上記従来の鼻テープに比較すると、この発明の方が鼻孔を広げる効果は大きく、また鼻を縦方向に引っ張るので鼻筋をすっきりさせる点でも従来より効果が高い。
【００１５】
（実施例２）
図３には、この発明の小鼻に部分に貼り付けて、長期間（１年以上）主として夜間寝るときに連続使用することにより、鼻の軟骨を刺激し、小鼻が小さくなり鼻がすっきりと高く整形されるためのストレッチ・テープの使用状態を示す。そのストレッチ・テープの形状のいくつかの例を図４に示す。
【００１６】
図４に示す如く、該テープの形状は三角形を中心とした形状で、三角形の頂点の角度は３０〜１２０度が好ましい。該テープは、巾５〜４０mm、底辺の長さが３０〜５０mm位が大きさとして適当である。
【図面の簡単な説明】
【００１７】
【図１】この発明の鼻のストレッチ・テープの使用状態を示す図である。
【図２】図１のストレッチ・テープの種々の形状を示す図である。
【図３】この発明の鼻の他のストレッチ・テープの使用状態を示す図である。
【図４】図３のストレッチ・テープの種々の形状を示す図である。
【符号の説明】
【００１８】
３    ストレッチ・テープ
４    ストレッチ・テープ
【図１】
2004216134.tif 000003
【図２】
2004216134.tif 000004
【図３】
2004216134.tif 000005
【図４】
2004216134.tif 000006